(57)【要約】【課題】複数のユーザが所定の動画データに対するレビューをすることができる動画データレビュー方法を提供することを目的としている。【解決手段】動画データレビューサーバにアップロードされた所定の動画データの特定秒数に対し、ユーザ端末のＷｅｂブラウザー上で、ユーザ又は他のユーザがユーザ端末を用いて所定の書き込みを行う際、ユーザ端末のＷｅｂブラウザーで使用可能なプログラムに基づいて書込み用レイヤーを生成するステップＳ７と、  動画データレビューサーバが書込み用レイヤーを所定の動画データに重ね合わせてユーザ端末に表示させるにあたり、ユーザ又は他のユーザがユーザ端末を用いて所定の書き込みが行われた特定秒数の前後一定秒数間、該書込み用レイヤーを所定の動画データに重ね合わせてユーザ端末に表示させるステップＳ１５と、を含んでなる。【選択図】図７
2019053572.tif 000002
【特許請求の範囲】
【請求項１】
複数のユーザ端末とサーバとがネットワークを介して接続されてなる動画データレビュー方法であって、
ユーザが前記ユーザ端末を用いて所定の動画データを前記サーバにアップロードするステップと、
前記ユーザ端末のＷｅｂブラウザーで使用可能なプログラムを前記サーバから前記ユーザ端末にダウンロードするステップと、
前記ユーザ端末のＷｅｂブラウザー上で、前記アップロードされた前記所定の動画データの特定秒数に対し、前記ユーザ又は他のユーザが前記ユーザ端末を用いて所定の書き込みを行う際、該ユーザ端末が前記プログラムに基づいて書き込み用レイヤーを生成するステップと、
前記サーバが前記書き込み用レイヤーを前記所定の動画データに重ね合わせて前記ユーザ端末に表示させるにあたり、前記ユーザ又は他のユーザが前記ユーザ端末を用いて所定の書き込みが行われた特定秒数の前後一定秒数間、該書き込み用レイヤーを前記所定の動画データに重ね合わせて前記ユーザ端末に表示させるステップと、を含んでなる動画データレビュー方法。
【請求項２】
前記アップロードされた前記所定の動画データの特定秒数に関するデータに対し、前記ユーザ又は他のユーザが前記ユーザ端末を用いて所定の書き込みを行う際、該ユーザ端末が前記プログラムに基づいて該データを抽出するステップと、
前記抽出したデータに対し、前記ユーザ又は他のユーザが前記ユーザ端末を用いて所定の書き込みを行う際、該ユーザ端末が前記プログラムに基づいて書き込み用レイヤーを生成するステップと、をさらに含んでなる請求項１に記載の動画データレビュー方法。
【請求項３】
前記サーバが前記所定の動画データを前記ユーザ端末のＷｅｂブラウザーにより表示可能な動画データに変換し、該変換した動画データに前記ユーザ又は他のユーザが前記ユーザ端末を用いて所定の書き込みが行われた特定秒数の前後一定秒数間、該書き込み用レイヤーを当該変換された動画データに重ね合わせて前記ユーザ端末に表示させるステップをさらに含んでなる請求項１又は２に記載の動画データレビュー方法。
【請求項４】
前記ユーザ又は他のユーザが前記ユーザ端末を用いて、前記所定の書き込みがされた書き込み用レイヤーに関連付けたコメントが可能なように、該ユーザ端末が前記プログラムに基づいてコメント欄を生成するステップをさらに含んでなる請求項１〜３の何れか１項に記載の動画データレビュー方法。
【請求項５】
前記抽出したデータに対して前記所定の書き込みがされたサムネイル画像を前記ユーザ端末に一覧表示させるステップをさらに含んでなる請求項２〜４の何れか１項に記載の動画データレビュー方法。
【請求項６】
複数のユーザ端末とサーバとがネットワークを介して接続されてなる動画データレビュー方法であって、
ユーザが前記ユーザ端末を用いて所定の動画データを前記サーバにアップロードするステップと、
前記アップロードされた前記所定の動画データの特定秒数に対し、前記ユーザ又は他のユーザが前記ユーザ端末を用いて所定の書き込みを行う際、前記サーバが書き込み用レイヤーを生成するステップと、
前記サーバが前記書き込み用レイヤーを前記所定の動画データに重ね合わせて前記ユーザ端末に表示させるにあたり、前記ユーザ又は他のユーザが前記ユーザ端末を用いて所定の書き込みが行われた特定秒数の前後一定秒数間、該書き込み用レイヤーを前記所定の動画データに重ね合わせて前記ユーザ端末に表示させるステップと、を含んでなる動画データレビュー方法。
【請求項７】
前記アップロードされた前記所定の動画データの特定秒数に関するデータに対し、前記ユーザ又は他のユーザが前記ユーザ端末を用いて所定の書き込みを行う際、前記サーバが該データを抽出するステップと、
前記抽出したデータに対し、前記ユーザ又は他のユーザが前記ユーザ端末を用いて所定の書き込みを行う際、前記サーバが書き込み用レイヤーを生成するステップと、をさらに含んでなる請求項６に記載の動画データレビュー方法。
【請求項８】
前記サーバが前記所定の動画データを前記ユーザ端末のＷｅｂブラウザーにより表示可能な動画データに変換し、該変換した動画データに前記ユーザ又は他のユーザが前記ユーザ端末を用いて所定の書き込みが行われた特定秒数の前後一定秒数間、該書き込み用レイヤーを当該変換された動画データに重ね合わせて前記ユーザ端末に表示させるステップをさらに含んでなる請求項６又は７に記載の動画データレビュー方法。
【請求項９】
前記ユーザ又は他のユーザが前記ユーザ端末を用いて、前記所定の書き込みがされた書き込み用レイヤーに関連付けたコメントが可能なように、前記サーバがコメント欄を生成するステップをさらに含んでなる請求項６〜８の何れか１項に記載の動画データレビュー方法。
【請求項１０】
前記抽出したデータに対して前記所定の書き込みがされたサムネイル画像を前記ユーザ端末に一覧表示させるステップをさらに含んでなる請求項７〜９の何れか１項に記載の動画データレビュー方法。
【発明の詳細な説明】
【技術分野】
【０００１】
本発明は、所定の動画データに対し複数のユーザがレビューし合う動画データレビュー方法に関する。
【背景技術】
【０００２】
一般的に、ＷＯＲＤ（登録商標）や、ＥＸＣＥＬ（登録商標）、あるいは、ＣＡＤ（ＣｏｍｐｕｔｅｒＡｉｄｅｄ  Ｄｅｓｉｇｎ）ソフト等で作成した所定のデータに対し、複数のユーザがレビューし合う場合、汎用的なメーラーを用いて電子メールのやりとりをする方法が採用されている。
【０００３】
しかしながら、上記のような方法は、上記複数のユーザが全て、上記所定のデータに対応するアプリケーションプログラムを所有しておかなければならず、一人でもそのアプリケーションプログラムを所有していなければ、上記のような方法を採用することができないという問題があった。
【０００４】
そこで、上記のような問題を解決すべく、特許文献１に記載のような方法が提案されている。
【先行技術文献】
【特許文献】
【０００５】
【特許文献１】特開２００３−３０８０６５号公報
【発明の概要】
【発明が解決しようとする課題】
【０００６】
上記の方法は、複数のユーザが上記所定のデータに対応するアプリケーションプログラムを所有していなくともレビューし合うことができるというものである。
【０００７】
しかしながら、上記の方法は、静止画データに対するレビューはできるものの動画データに対するレビューができないという問題があった。
【０００８】
そこで本発明は、上記問題に鑑み、複数のユーザが所定の動画データに対するレビューをすることができる動画データレビュー方法を提供することを目的としている。
【課題を解決するための手段】
【０００９】
上記課題を解決するための手段は、以下の手段によって達成される。なお、括弧内は、後述する実施形態の参照符号を付したものであるが、本発明はこれに限定されるものではない。
【００１０】
請求項１に係る動画データレビュー方法は、複数のユーザ端末（２）とサーバ（動画データレビューサーバ１）とがネットワーク（Ｎ）を介して接続されてなる動画データレビュー方法であって、
ユーザが前記ユーザ端末（２）を用いて所定の動画データを前記サーバ（動画データレビューサーバ１）にアップロードするステップ（ステップＳ２）と、
前記ユーザ端末（２）のＷｅｂブラウザーで使用可能なプログラムを前記サーバ（動画データレビューサーバ１）から前記ユーザ端末（２）にダウンロードするステップ（ステップＳ４）と、
前記ユーザ端末（２）のＷｅｂブラウザー上で、前記アップロードされた前記所定の動画データの特定秒数に対し、前記ユーザ又は他のユーザが前記ユーザ端末（２）を用いて所定の書き込みを行う際、該ユーザ端末（２）が前記プログラムに基づいて書き込み用レイヤー（第２レイヤーＲ２、第３レイヤーＲ３）を生成するステップ（ステップＳ７）と、
前記サーバ（動画データレビューサーバ１）が前記書き込み用レイヤー（第２レイヤーＲ２、第３レイヤーＲ３）を前記所定の動画データに重ね合わせて前記ユーザ端末（２）に表示させるにあたり、前記ユーザ又は他のユーザが前記ユーザ端末（２）を用いて所定の書き込みが行われた特定秒数の前後一定秒数間、該書き込み用レイヤー（第２レイヤーＲ２、第３レイヤーＲ３）を前記所定の動画データに重ね合わせて前記ユーザ端末（２）に表示させるステップ（ステップＳ１５）と、を含んでなることを特徴としている。
【００１１】
また、請求項２に係る動画データレビュー方法は、上記請求項１に記載の動画データレビュー方法において、前記アップロードされた前記所定の動画データの特定秒数に関するデータに対し、前記ユーザ又は他のユーザが前記ユーザ端末（２）を用いて所定の書き込みを行う際、該ユーザ端末（２）が前記プログラムに基づいて該データを抽出するステップ（ステップＳ６）と、
前記抽出したデータに対し、前記ユーザ又は他のユーザが前記ユーザ端末（２）を用いて所定の書き込みを行う際、該ユーザ端末（２）が前記プログラムに基づいて書き込み用レイヤーを生成するステップ（ステップＳ７）と、をさらに含んでなることを特徴としている。
【００１２】
さらに、請求項３に係る動画データレビュー方法は、上記請求項１又は２に記載の動画データレビュー方法において、前記サーバ（動画データレビューサーバ１）が前記所定の動画データを前記ユーザ端末（２）のＷｅｂブラウザーにより表示可能な動画データに変換（例えば、ＭＰ４（フルＨＤ画質）からＭＰ４（ＳＤ画質）に変換）し、該変換した動画データに前記ユーザ又は他のユーザが前記ユーザ端末（２）を用いて所定の書き込みが行われた特定秒数の前後一定秒数間、該書き込み用レイヤー（第２レイヤーＲ２、第３レイヤーＲ３）を当該変換された動画データに重ね合わせて前記ユーザ端末（２）に表示させるステップ（ステップＳ１５）をさらに含んでなることを特徴としている。
【００１３】
そしてさらに、請求項４に係る動画データレビュー方法は、上記請求項１〜３の何れか１項に記載の動画データレビュー方法において、前記ユーザ又は他のユーザが前記ユーザ端末（２）を用いて、前記所定の書き込みがされた書き込み用レイヤー（第２レイヤーＲ２、第３レイヤーＲ３）に関連付けたコメントが可能なように、該ユーザ端末（２）が前記プログラムに基づいてコメント欄（図３に示す画像Ｐ１Ｂａ，Ｐ１Ｂｂ参照）を生成するステップ（ステップＳ１０）をさらに含んでなることを特徴としている。
【００１４】
またさらに、請求項５に係る動画データレビュー方法は、上記請求項２〜４の何れか１項に記載の動画データレビュー方法において、前記抽出したデータに対して前記所定の書き込みがされたサムネイル画像（図３に示すサムネイル画像Ｐ１Ｄａ，Ｐ１Ｄｂ参照）を前記ユーザ端末（２）に一覧表示させるステップ（ステップＳ１１）をさらに含んでなることを特徴としている。
【００１５】
一方、請求項６に係る動画データレビュー方法は、複数のユーザ端末（２）とサーバ（動画データレビューサーバ１）とがネットワーク（Ｎ）を介して接続されてなる動画データレビュー方法であって、
ユーザが前記ユーザ端末（２）を用いて所定の動画データを前記サーバ（動画データレビューサーバ１）にアップロードするステップ（ステップＳ２）と、
前記アップロードされた前記所定の動画データの特定秒数に対し、前記ユーザ又は他のユーザが前記ユーザ端末（２）を用いて所定の書き込みを行う際、前記サーバ（動画データレビューサーバ１）が書き込み用レイヤー（第２レイヤーＲ２、第３レイヤーＲ３）を生成するステップ（ステップＳ７（ただし、動画データレビューサーバ１で処理した場合）と、
前記サーバ（動画データレビューサーバ１）が前記書き込み用レイヤー（第２レイヤーＲ２、第３レイヤーＲ３）を前記所定の動画データに重ね合わせて前記ユーザ端末（２）に表示させるにあたり、前記ユーザ又は他のユーザが前記ユーザ端末（２）を用いて所定の書き込みが行われた特定秒数の前後一定秒数間、該書き込み用レイヤーを前記所定の動画データに重ね合わせて前記ユーザ端末（２）に表示させるステップ（ステップＳ１５）と、を含んでなることを特徴としている。
【００１６】
また、請求項７に係る動画データレビュー方法は、上記請求項６に記載の動画データレビュー方法において、前記アップロードされた前記所定の動画データの特定秒数に関するデータに対し、前記ユーザ又は他のユーザが前記ユーザ端末（２）を用いて所定の書き込みを行う際、前記サーバ（動画データレビューサーバ１）が該データを抽出するステップ（ステップＳ６（ただし、動画データレビューサーバ１で処理した場合））と、
前記抽出したデータに対し、前記ユーザ又は他のユーザが前記ユーザ端末（２）を用いて所定の書き込みを行う際、前記サーバ（動画データレビューサーバ１）が書き込み用レイヤー（第２レイヤーＲ２、第３レイヤーＲ３）を生成するステップ（ステップＳ７（ただし、動画データレビューサーバ１で処理した場合））と、をさらに含んでなることを特徴としている。
【００１７】
さらに、請求項８に係る動画データレビュー方法は、上記請求項６又は７に記載の動画データレビュー方法において、前記サーバ（動画データレビューサーバ１）が前記所定の動画データを前記ユーザ端末（２）のＷｅｂブラウザーにより表示可能な動画データに変換（例えば、ＭＰ４（フルＨＤ画質）からＭＰ４（ＳＤ画質）に変換）し、該変換した動画データに前記ユーザ又は他のユーザが前記ユーザ端末（２）を用いて所定の書き込みが行われた特定秒数の前後一定秒数間、該書き込み用レイヤー（第２レイヤーＲ２、第３レイヤーＲ３）を当該変換された動画データに重ね合わせて前記ユーザ端末（２）に表示させるステップ（ステップＳ１５）をさらに含んでなることを特徴としている。
【００１８】
そしてさらに、請求項９に係る動画データレビュー方法は、上記請求項６〜８の何れか１項に記載の動画データレビュー方法において、前記ユーザ又は他のユーザが前記ユーザ端末（２）を用いて、前記所定の書き込みがされた書き込み用レイヤー（第２レイヤーＲ２、第３レイヤーＲ３）に関連付けたコメントが可能なように、前記サーバ（動画データレビューサーバ１）がコメント欄（図３に示す画像Ｐ１Ｂａ，Ｐ１Ｂｂ参照）を生成するステップ（ステップＳ１０（ただし、動画データレビューサーバ１で処理した場合））をさらに含んでなることを特徴としている。
【００１９】
またさらに、請求項１０に係る動画データレビュー方法は、上記請求項７〜９の何れか１項に記載の動画データレビュー方法において、前記抽出したデータに対して前記所定の書き込みがされたサムネイル画像（図３に示すサムネイル画像Ｐ１Ｄａ，Ｐ１Ｄｂ参照）を前記ユーザ端末（２）に一覧表示させるステップ（ステップＳ１１）をさらに含んでなることを特徴としている。
【発明の効果】
【００２０】
次に、本発明の効果について、図面の参照符号を付して説明する。なお、括弧内は、後述する実施形態の参照符号を付したものであるが、本発明はこれに限定されるものではない。
【００２１】
請求項１に係る発明によれば、ユーザがユーザ端末（２）を用いて所定の動画データをサーバ（動画データレビューサーバ１）にアップロードし、そのアップロードされた所定の動画データの特定秒数に対し、ユーザ又は他のユーザがユーザ端末（２）を用いて所定の書き込みを行う際、Ｗｅｂブラウザーにて使用可能なプログラムに基づいてユーザ端末２が書き込み用レイヤー（第２レイヤーＲ２、第３レイヤーＲ３）を生成し、その生成した書き込み用レイヤー（第２レイヤーＲ２、第３レイヤーＲ３）を所定の動画データに重ね合わせてユーザ端末（２）に表示させるにあたり、ユーザ又は他のユーザがユーザ端末（２）を用いて所定の書き込みが行われた特定秒数の前後一定秒数間、該書き込み用レイヤー（第２レイヤーＲ２、第３レイヤーＲ３）を所定の動画データに重ね合わせてユーザ端末（２）に表示させている。このようにすれば、動画データの特定秒数に対して所定の書き込みが可能となり、さらに、書き込み内容が一定時間表示されることとなるから、ユーザは書き込み内容をしっかりと確認できることとなる。しかして、本発明によれば、複数のユーザが所定の動画データに対するレビューをすることができることとなる。
【００２２】
また、請求項２に係る発明によれば、アップロードされた所定の動画データの特定秒数に関するデータに対し、ユーザ又は他のユーザがユーザ端末（２）を用いて所定の書き込みを行う際、Ｗｅｂブラウザーにて使用可能なプログラムに基づいてユーザ端末２が該データを抽出し、その抽出したデータに対し、ユーザ又は他のユーザがユーザ端末（２）を用いて所定の書き込みを行う際、Ｗｅｂブラウザーにて使用可能なプログラムに基づいてユーザ端末２が書き込み用レイヤー（第２レイヤーＲ２、第３レイヤーＲ３）を生成しているから、鮮明な画像で、ユーザ又は他のユーザがユーザ端末２を用いて書き込みを行うことができる。
【００２３】
さらに、請求項３に係る発明によれば、サーバ（動画データレビューサーバ１）が所定の動画データをユーザ端末（２）のＷｅｂブラウザーにより表示可能な動画データに変換（例えば、ＭＰ４（フルＨＤ画質）からＭＰ４（ＳＤ画質）に変換）し、該変換した動画データにユーザ又は他のユーザがユーザ端末（２）を用いて所定の書き込みが行われた特定秒数の前後一定秒数間、該書き込み用レイヤー（第２レイヤーＲ２、第３レイヤーＲ３）を当該変換された動画データに重ね合わせてユーザ端末（２）に表示させているから、ユーザにストレスを感じさせることなく、ユーザ端末（２）のＷｅｂブラウザーに動画データを表示させることができる。
【００２４】
そしてさらに、請求項４に係る発明によれば、ユーザ又は他のユーザがユーザ端末（２）を用いて、所定の書き込みがされた書き込み用レイヤー（第２レイヤーＲ２、第３レイヤーＲ３）に関連付けたコメントが可能なように、Ｗｅｂブラウザーにて使用可能なプログラムに基づいてユーザ端末２がコメント欄（図３に示す画像Ｐ１Ｂａ，Ｐ１Ｂｂ参照）を生成しているから、書き込み用レイヤーに書き込まれた内容の意図するところが明確となる。
【００２５】
またさらに、請求項５に係る発明によれば、前記抽出したデータに対して前記所定の書き込みがされたサムネイル画像（図３に示すサムネイル画像Ｐ１Ｄａ，Ｐ１Ｄｂ参照）をユーザ端末（２）に一覧表示させているから、動画データのどの箇所にどのような書き込みがされたのか一目で分かることとなる。
【００２６】
一方、請求項６に係る発明によれば、ユーザがユーザ端末（２）を用いて所定の動画データをサーバ（動画データレビューサーバ１）にアップロードし、そのアップロードされた所定の動画データの特定秒数に対し、ユーザ又は他のユーザがユーザ端末（２）を用いて所定の書き込みを行う際、サーバ（動画データレビューサーバ１）が書き込み用レイヤー（第２レイヤーＲ２、第３レイヤーＲ３）を生成し、その生成した書き込み用レイヤー（第２レイヤーＲ２、第３レイヤーＲ３）を所定の動画データに重ね合わせてユーザ端末（２）に表示させるにあたり、ユーザ又は他のユーザがユーザ端末（２）を用いて所定の書き込みが行われた特定秒数の前後一定秒数間、該書き込み用レイヤー（第２レイヤーＲ２、第３レイヤーＲ３）を所定の動画データに重ね合わせてユーザ端末（２）に表示させている。このようにすれば、動画データの特定秒数に対して所定の書き込みが可能となり、さらに、書き込み内容が一定時間表示されることとなるから、ユーザは書き込み内容をしっかりと確認できることとなる。しかして、本発明によれば、複数のユーザが所定の動画データに対するレビューをすることができることとなる。しかるに、請求項６に係る発明は、請求項１に係る発明と同様の作用効果を生じさせることができる。
【００２７】
また、請求項７に係る発明によれば、アップロードされた所定の動画データの特定秒数に関するデータに対し、ユーザ又は他のユーザがユーザ端末（２）を用いて所定の書き込みを行う際、サーバ（動画データレビューサーバ１）が該データを抽出し、その抽出したデータに対し、ユーザ又は他のユーザがユーザ端末（２）を用いて所定の書き込みを行う際、サーバ（動画データレビューサーバ１）が書き込み用レイヤー（第２レイヤーＲ２、第３レイヤーＲ３）を生成しているから、鮮明な画像で、ユーザ又は他のユーザがユーザ端末２を用いて書き込みを行うことができる。
【００２８】
さらに、請求項８に係る発明によれば、サーバ（動画データレビューサーバ１）が所定の動画データをユーザ端末（２）のＷｅｂブラウザーにより表示可能な動画データに変換（例えば、ＭＰ４（フルＨＤ画質）からＭＰ４（ＳＤ画質）に変換）し、該変換した動画データにユーザ又は他のユーザがユーザ端末（２）を用いて所定の書き込みが行われた特定秒数の前後一定秒数間、該書き込み用レイヤー（第２レイヤーＲ２、第３レイヤーＲ３）を当該変換された動画データに重ね合わせてユーザ端末（２）に表示させているから、ユーザにストレスを感じさせることなく、ユーザ端末（２）のＷｅｂブラウザーに動画データを表示させることができる。
【００２９】
そしてさらに、請求項９に係る発明によれば、ユーザ又は他のユーザがユーザ端末（２）を用いて、所定の書き込みがされた書き込み用レイヤー（第２レイヤーＲ２、第３レイヤーＲ３）に関連付けたコメントが可能なように、サーバ（動画データレビューサーバ１）がコメント欄（図３に示す画像Ｐ１Ｂａ，Ｐ１Ｂｂ参照）を生成しているから、書き込み用レイヤーに書き込まれた内容の意図するところが明確となる。
【００３０】
またさらに、請求項１０に係る発明によれば、前記抽出したデータに対して前記所定の書き込みがされたサムネイル画像（図３に示すサムネイル画像Ｐ１Ｄａ，Ｐ１Ｄｂ参照）をユーザ端末（２）に一覧表示させているから、動画データのどの箇所にどのような書き込みがされたのか一目で分かることとなる。
【図面の簡単な説明】
【００３１】
【図１】本発明に係る動画データレビューシステムの一実施形態を示す全体図である。
【図２】同実施形態に係る動画データレビューサーバの概念ブロック図である。
【図３】同実施形態に係る動画データレビューシステムを用いて、所定の動画データの特定秒数に対してユーザが書き込みやコメントを行う画面例を示す図である。
【図４】図３に示す画像Ｐ１Ａを生成するにあたって、複数のレイヤーが重ね合わされていることを説明するための説明図である。
【図５】（ａ）は同実施形態に係る動画データレビューシステムを用いて、所定の動画データの特定秒数に対してユーザが書き込みを行う際、所定の動画データの特定秒数の動画データを抽出することを示すタイミングチャート図、（ｂ）は同実施形態に係る動画データレビューシステムを用いて、所定の動画データを再生する際、その所定の動画データに所定の書き込みがされた書き込み用レイヤーを重ね合わせるタイミングを示すタイミングチャート図である。
【図６】同実施形態に係る動画データレビュー内容データベースに格納されているテーブルを示す図である。
【図７】同実施形態に係る動画データレビューシステムの一使用例を説明するフローチャート図である。
【発明を実施するための形態】
【００３２】
以下、本発明に係る動画データレビュー方法に関する動画データレビューシステムの一実施形態について、図面を参照して具体的に説明する。動画データレビューシステムは、図１に示すように、動画データレビューサーバ１と、ユーザが使用するユーザ端末２とがネットワークＮを介して接続されている。このユーザ端末２は、ＰＣ（Ｐｅｒｓｏｎａｌ  Ｃｏｍｐｕｔｅｒ）やｉｐｈｏｎｅ（登録商標）等のスマートフォンや携帯電話、ＰＤＡ（Ｐｅｒｓｏｎａｌ  Ｄｉｇｉｔａｌ  Ａｓｓｉｓｔａｎｃｅ）等で構成されてなるもので、ＣＰＵ２０と、マウスやキーボード、タッチパネル、或いは、ＵＳＢコネクタ、Ｌｉｇｈｔｎｉｎｇコネクタ等を用いて外部から所定データをユーザ端末２に入力することができる入力部２１と、所定のプログラム等を格納した書き込み可能なフラッシュＲＯＭ等からなるＲＯＭ２２と、作業領域やバッファメモリ等として機能するＲＡＭ２３と、種々の画像を表示可能な表示部２４と、無線ＬＡＮ，有線ＬＡＮ，ダイヤルアップ等の通信手段でネットワークＮに接続が可能な通信部２５とで構成されている。
【００３３】
一方、動画データレビューサーバ１は、図２に示すように、ＣＰＵ等からなる中央制御部１０と、ユーザ端末２（図１参照）の表示部２４（図１参照）に表示されるＷｅｂブラウザーにて使用可能なプログラムが格納されているＷｅｂブラウザー用プログラム格納部１１と、動画データレビュー内容データベース１２と、ユーザ端末２（図１参照）の表示部２４（図１参照）に表示されるＷｅｂブラウザーに表示させる画面データを生成する画面データ生成部１３と、無線ＬＡＮ，有線ＬＡＮ，ダイヤルアップ等の通信手段でネットワークＮに接続が可能な通信部１４とで構成されている。
【００３４】
Ｗｅｂブラウザー用プログラム格納部１１は、ユーザ端末２（図１参照）の表示部２４（図１参照）に表示されるＷｅｂブラウザーにて使用可能なプログラムが格納されており、ユーザ端末２（図１参照）がネットワークＮ（図１参照）を介して動画データレビューサーバ１（図１参照）にアクセスした際、このプログラムがネットワークＮ（図１参照）を介してユーザ端末２（図１参照）にダウンロードされ、ユーザ端末２（図１参照）のＲＡＭ２３（図１参照）内に一時的に記憶されることとなる。そして、ユーザがユーザ端末２（図１参照）の入力部２１（図１参照）を用いてアップロードされた所定の動画データの特定の秒数に対し、Ｗｅｂブラウザー上で、何らかの書き込み（所定の書き込み）をしようとした際、ユーザ端末２（図１参照）のＣＰＵ２０（図１参照）がユーザ端末２（図１参照）のＲＡＭ２３（図１参照）内に一時的に記憶されているプログラムを起動し、このプログラムに基づいて、ユーザ端末２（図１参照）のＣＰＵ２０（図１参照）が所定の動画データの特定の秒数の画像データを抽出することとなる。この点、図５（ａ）を参照して具体的に説明すると、図５（ａ）に示すように、アップロードされた所定の動画データが、例えば、全体として７秒で構成されている場合に、ユーザがユーザ端末２（図１参照）の入力部２１（図１参照）を用いて、Ｗｅｂブラウザー上で、１秒目の動画データ（タイミングＴ１〜Ｔ２参照）に対し、何らかの書き込み（所定の書き込み）をしようとした際、ユーザ端末２（図１参照）のＣＰＵ２０（図１参照）は、この１秒目の動画データ（タイミングＴ１〜Ｔ２参照）を抽出するものである。そしてさらに、ユーザがユーザ端末２（図１参照）の入力部２１（図１参照）を用いて、Ｗｅｂブラウザー上で、４秒目の動画データ（タイミングＴ３〜Ｔ４参照）に対し、何らかの書き込み（所定の書き込み）をしようとした際、ユーザ端末２（図１参照）のＣＰＵ２０（図１参照）は、この４秒目の動画データ（タイミングＴ３〜Ｔ４参照）を抽出するものである。
【００３５】
一方、ユーザ端末２（図１参照）のＲＡＭ２３（図１参照）内に一時的に記憶されているプログラムが起動し、ユーザ端末２（図１参照）のＣＰＵ２０（図１参照）にて所定の動画データの特定の秒数の画像データが抽出されると、その抽出された画像データ上に書き込み用レイヤー（例えば、透明なレイヤー）が生成される。
【００３６】
この点、図３，図４を参照して具体的に説明すると、図３に示す画像Ｐ１Ａは、ユーザ端末２（図１参照）のＣＰＵ２０（図１参照）にて抽出された画像データ（図示では、ボールを蹴ろうとしている男性と、子供とで主に構成されている画像（画像Ｐ１Ａａ参照））に対し、ユーザがユーザ端末２（図１参照）の入力部２１（図１参照）を用いて、子供を囲っている「０１」と書かれた枠画像（画像Ｐ１Ａｂ参照）で構成されているものである。この画像Ｐ１Ａの構成について、図４の説明図を用いて説明すると、図４に示すように、ユーザ端末２（図１参照）のＣＰＵ２０（図１参照）にて抽出された画像データ（図示では、オオカミの画像（画像Ｐ１０参照））の第１レイヤーＲ１上に、図示右側に、ほぼ台形状の画像と矢印の画像が書き込まれた画像（画像Ｐ１１参照）の第２レイヤーＲ２が重ね合わされ、第２レイヤーＲ２上に、図示左側に、ほぼ円形状の画像が書き込まれた画像（画像Ｐ１２参照）の第３レイヤーＲ３が重ね合わされている。この第１レイヤーＲ１は、ユーザ端末２（図１参照）のＣＰＵ２０（図１参照）にて抽出された画像データ（図示では、オオカミの画像（画像Ｐ１０参照））であり、第２レイヤーＲ２〜第３レイヤーＲ３は、この画像データに対して、ユーザがユーザ端末２（図１参照）の入力部２１（図１参照）を用いて、Ｗｅｂブラウザー上で、何らかの書き込み（所定の書き込み）をしようとした際、ユーザ端末２（図１参照）のＣＰＵ２０（図１参照）にて生成される書き込み用レイヤー（例えば、透明なレイヤー）である。すなわち、ユーザ端末２（図１参照）のＣＰＵ２０（図１参照）にて抽出された画像データ（図示では、オオカミの画像（画像Ｐ１０参照））上に、ユーザがユーザ端末２（図１参照）の入力部２１（図１参照）を用いて、Ｗｅｂブラウザー上で、図示しない書き込みツールによって、何らかの書き込み（所定の書き込み）をしようとすると、ユーザ端末２（図１参照）のＣＰＵ２０（図１参照）にて、第１レイヤーＲ１（図４参照）上に、第１レイヤーＲ１のユーザ端末２（図１参照）のＣＰＵ２０（図１参照）にて抽出された画像データ（図示では、オオカミの画像（画像Ｐ１０参照））が視認できるように、透明な第２レイヤーＲ２（図４参照）が生成される。そして、その第２レイヤーＲ２に対して、ユーザがユーザ端末２（図１参照）の入力部２１（図１参照）を用いて、Ｗｅｂブラウザー上で、何らかの書き込み（所定の書き込み）（図示では、図示右側に、ほぼ台形状の画像と矢印の画像が書き込まれた画像（画像Ｐ１１参照））が可能となる。さらに、第１レイヤーＲ１のユーザ端末２（図１参照）のＣＰＵ２０（図１参照）にて抽出された画像データ（図示では、オオカミの画像（画像Ｐ１０参照））に対して、新たに、ユーザがユーザ端末２（図１参照）の入力部２１（図１参照）を用いて、Ｗｅｂブラウザー上で、図示しない書き込みツールによって、何らかの書き込み（所定の書き込み）をしようとすると、ユーザ端末２（図１参照）のＣＰＵ２０（図１参照）にて、第２レイヤーＲ２（図４参照）上に、第１レイヤーＲ１（図４参照）のユーザ端末２（図１参照）のＣＰＵ２０（図１参照）にて抽出された画像データ（図示では、オオカミの画像（画像Ｐ１０参照））及び第２レイヤーＲ２（図４参照）の図示右側に、ほぼ台形状の画像と矢印の画像が書き込まれた画像（画像Ｐ１１参照）が視認できるように、透明な第３レイヤーＲ３（図４参照）が生成される。そして、その第３レイヤーＲ３に対して、ユーザがユーザ端末２（図１参照）の入力部２１（図１参照）を用いて、Ｗｅｂブラウザー上で、何らかの書き込み（所定の書き込み）（図示では、図示左側に、ほぼ円形状の画像が書き込まれた画像（画像Ｐ１２参照））が可能となる。
【００３７】
かくして、この画像Ｐ１Ａの構成は、図４に示す説明図を参照すると、ユーザ端末２（図１参照）のＣＰＵ２０（図１参照）にて抽出された画像データ（図示では、ボールを蹴ろうとしている男性と、子供とで主に構成されている画像（画像Ｐ１Ａａ参照））のレイヤー上に、子供を囲っている「０１」と書かれた枠画像（画像Ｐ１Ａｂ参照）の透明な書き込み用レイヤーが重ね合わされた構成となっている。
【００３８】
しかして、このようにすれば、動画データの特定秒数に対して所定の書き込みが可能となる。また、新たに、ユーザがユーザ端末２（図１参照）の入力部２１（図１参照）を用いて、Ｗｅｂブラウザー上で、図示しない書き込みツールによって、何らかの書き込み（所定の書き込み）をしようとする度に透明なレイヤー（書き込み用レイヤー）を生成するようにすれば、書き込み（所定の書き込み）内容毎の管理が容易となる。
【００３９】
一方、ユーザ端末２（図１参照）のＲＡＭ２３（図１参照）内に一時的に記憶されているプログラムに基づいてユーザ端末２（図１参照）のＣＰＵ２０（図１参照）にて書き込み用レイヤー（例えば、透明なレイヤー）が生成されるとそれに付随してコメント欄が生成されることとなる。すなわち、ユーザ端末２（図１参照）のＣＰＵ２０（図１参照）にて抽出された画像データ（図示では、ボールを蹴ろうとしている男性と、子供とで主に構成されている画像（画像Ｐ１Ａａ参照））のレイヤー上に、ユーザがユーザ端末２（図１参照）の入力部２１（図１参照）を用いて、Ｗｅｂブラウザー上で、図示しない書き込みツールによって、子供の所に何らかの書き込み（所定の書き込み）をしようとすると、ユーザ端末２（図１参照）のＣＰＵ２０（図１参照）にて、ユーザ端末２（図１参照）のＣＰＵ２０（図１参照）にて抽出された画像データ（図示では、ボールを蹴ろうとしている男性と、子供とで主に構成されている画像（画像Ｐ１Ａａ参照））が視認できるように、透明な書き込み用レイヤーが生成され、それに伴い、ユーザ端末２（図１参照）のＣＰＵ２０（図１参照）は、図３に示す図示右に位置するコメント欄（画像Ｐ１Ｂａ参照）を生成する。これにより、ユーザは、ユーザ端末２（図１参照）の入力部２１（図１参照）を用いて、Ｗｅｂブラウザー上で、図３に示す画像Ｐ１Ｂａに示すようなコメント（図示では、「子供が写り込んでいます」）を書き込むことが可能となる。
【００４０】
この点、図４の説明図を用いて説明すると、ユーザ端末２（図１参照）のＣＰＵ２０（図１参照）にて抽出された画像データ（図示では、オオカミの画像（画像Ｐ１０参照））の第１レイヤーＲ１（図４参照）上に、ユーザがユーザ端末２（図１参照）の入力部２１（図１参照）を用いて、Ｗｅｂブラウザー上で、図示しない書き込みツールによって、何らかの書き込み（所定の書き込み）をしようとすると、ユーザ端末２（図１参照）のＣＰＵ２０（図１参照）にて、第１レイヤーＲ１（図４参照）上に、第１レイヤーＲ１のオオカミの画像（画像Ｐ１０参照）が視認できるように、透明な第２レイヤーＲ２（図４参照）が生成され、それに伴い、ユーザ端末２（図１参照）のＣＰＵ２０（図１参照）は、図４に示す図示右に位置するコメント欄（画像Ｐ２０参照）を生成する。これにより、ユーザは、ユーザ端末２（図１参照）の入力部２１（図１参照）を用いて、Ｗｅｂブラウザー上で、図４に示す画像Ｐ２０に示すようなコメント（図示では、「尻尾をもう少し上に上げて下さい」）を書き込むことが可能となる。さらに、ユーザ端末２（図１参照）のＣＰＵ２０（図１参照）にて透明な第３レイヤーＲ３（図４参照）が生成されると、それに伴い、ユーザ端末２（図１参照）のＣＰＵ２０（図１参照）は、図４に示す図示右に位置するコメント欄（画像Ｐ２１参照）を生成する。これにより、ユーザは、ユーザ端末２（図１参照）の入力部２１（図１参照）を用いて、Ｗｅｂブラウザー上で、図４に示す画像Ｐ２１に示すようなコメント（図示では、「もう少し、暗めの色にしてください。」）を書き込むことが可能となる。
【００４１】
しかして、このように、ユーザ端末２（図１参照）のＣＰＵ２０（図１参照）にて生成された書き込み用レイヤー（例えば、透明なレイヤー）に付随してコメント欄を生成するようにすれば、書き込み用レイヤー（例えば、透明なレイヤー）に書き込まれた内容の意図するところが明確となる。また、ユーザ端末２（図１参照）のＣＰＵ２０（図１参照）にて生成された書き込み用レイヤー（例えば、透明なレイヤー）に付随してコメント欄を生成するため、新たに、ユーザがユーザ端末２（図１参照）の入力部２１（図１参照）を用いて、Ｗｅｂブラウザー上で、図示しない書き込みツールによって、何らかの書き込み（所定の書き込み）をしようとする度に透明なレイヤー（書き込み用レイヤー）を生成するようにすれば、コメントの管理も容易となる。
【００４２】
なお、図３に示す画像Ｐ１Ｂｂは、アップロードされた所定の動画データの特定秒数（図３に示す、ユーザ端末２（図１参照）のＣＰＵ２０（図１参照）にて抽出された画像データ（図示では、ボールを蹴ろうとしている男性と、子供とで主に構成されている画像（画像Ｐ１Ａａ参照））とは別の特定秒数（例えば、図５（ａ）に示す４秒目の動画データ（タイミングＴ３〜Ｔ４参照））に対して、Ｗｅｂブラウザー上で、図示しない書き込みツールによって、何らかの書き込み（所定の書き込み）をしようとした際、ユーザ端末２（図１参照）のＣＰＵ２０（図１参照）にて生成された透明な書き込み用レイヤーに付随して、生成されたコメント欄である。
【００４３】
動画データレビュー内容データベース１２は、図６に示すテーブルＴＢＬが格納されている。より具体的に説明すると、このテーブルＴＢＬには、プロジェクト（図示では、プロジェクトＡ）が記憶されている（ＴＢ１参照）。そして、この各プロジェクトに対してアップロードされた所定の動画データ（図示では、動画データＡ）が記憶されている（ＴＢ２参照）。そしてさらに、このアップロードされた所定の動画データの特定秒数（例えば、図５（ａ）に示す１秒目の動画データ（タイミングＴ１〜Ｔ２参照）、４秒目の動画データ（タイミングＴ３〜Ｔ４参照））に対する書き込み内容、すなわち、ユーザ端末２（図１参照）のＣＰＵ２０（図１参照）にて生成された書き込み用レイヤー（例えば、透明なレイヤー）に書き込まれた内容の座標データ（図示では、Ｘ：２０、Ｙ：３０・・・・（例えば、図３に示す画像Ｐ１Ａｂ参照）、Ｘ：３０、Ｙ：２０・・・・）が記憶されている（ＴＢ３参照）。またさらに、ユーザ端末２（図１参照）のＣＰＵ２０（図１参照）にて生成されたコメント欄に書き込まれたコメント（図示では、「子供が写り込んでいます」（例えば、図３に示す画像Ｐ１Ｂａ参照）、「ボールが高く上がりすぎですね」（例えば、図３に示す画像Ｐ１Ｂｂ参照）が記憶されている（ＴＢ４参照）。そして、アップロードされた所定の動画データ（図示では、動画データＡ）の特定秒数、すなわち、書き込み対象となった時間が記憶されている（ＴＢ５参照）。
【００４４】
画面データ生成部１３は、ユーザ端末２（図１参照）の表示部２４（図１参照）に表示されるＷｅｂブラウザーに表示させる画面データを生成するものである。すなわち、例えば、図３に示す画像Ｐ１をユーザ端末２（図１参照）の表示部２４（図１参照）に表示されるＷｅｂブラウザーに表示させる画面データとして生成するものである。具体的に説明すると、所定のプロジェクト（例えば、図６に示す、プロジェクトＡ（ＴＢ１参照））に参加しているユーザがユーザ端末２（図１参照）の入力部２１（図１参照）を用いて所定の動画データをアップロードすると、画面データ生成部１３は、その動画データをＷｅｂブラウザーにより表示可能な動画データに変換（例えば、ＭＰ４（フルＨＤ画質）からＭＰ４（ＳＤ画質）に変換）する。これにより、ユーザがユーザ端末２（図１参照）の入力部２１（図１参照）を用いて、図３に示す画像Ｐ１Ｅの操作ツールによって、変換された動画データの再生や巻き戻し早送り等の操作が可能となる。
【００４５】
また、画面データ生成部１３は、ユーザ端末２（図１参照）のＣＰＵ２０（図１参照）にて抽出された画像データ（図示では、ボールを蹴ろうとしている男性と、子供とで主に構成されている画像（画像Ｐ１Ａａ参照）をＷｅｂブラウザーにより表示可能な画像データ（例えば、ＰＮＧ（Ｐｏｒｔａｂｌｅ  Ｎｅｔｗｏｒｋ  Ｇｒａｐｈｉｃｓ）画像データ）に変換し、その変換した画像データに対して書き込みがされた際、ユーザ端末２（図１参照）のＣＰＵ２０（図１参照）にて生成された書き込み用レイヤーを重ね合わせ、もって、図３に示す画像Ｐ１Ａをユーザ端末２（図１参照）の表示部２４（図１参照）に表示されるＷｅｂブラウザーに表示させる画面データとして生成することとなる。
【００４６】
一方、画面データ生成部１３は、図３に示す画像Ｐ１Ａを生成した後、動画データを再生するにあたり、図５（ｂ）に示すように、Ｗｅｂブラウザーにより表示可能な動画データに変換された動画データが、例えば、全体として７秒で構成されている場合に、１秒目の動画データ（タイミングＴ１〜Ｔ２参照）に何らかの書き込み（所定の書き込み）がされている際、１秒目の動画データより一定時間前のタイミング（タイミングＴ１０参照）から、図２に示す動画データレビュー内容データベース１２に格納されている図６に示すテーブルＴＢＬの書き込み座標データ（ＴＢ２参照）に基づいて描画された書き込み内容のレイヤーを動画データに重ね合わせ、１秒目の動画データより一定時間後のタイミング（タイミングＴ２０参照）まで重ね合わせ続けることとなる。また、４秒目の動画データ（タイミングＴ３〜Ｔ４参照）に何らかの書き込み（所定の書き込み）がされている際、４秒目の動画データより一定時間前のタイミング（タイミングＴ３０参照）から、図２に示す動画データレビュー内容データベース１２に格納されている図６に示すテーブルＴＢＬの書き込み座標データ（ＴＢ２参照）に基づいて描画された書き込み内容のレイヤーを重ね合わせ、４秒目の動画データより一定時間後のタイミング（タイミングＴ４０参照）まで重ね合わせ続けることとなる。
【００４７】
しかして、このようにすれば、書き込み内容が一定時間表示されることとなるから、ユーザは書き込み内容をしっかりと確認できることとなる。なお、動画データのどの秒数に書き込みがされているかは、図６に示すテーブルＴＢＬの書き込み対象時間の項目（ＴＢ５参照）を参照することとなる。
【００４８】
また、画面データ生成部１３は、上記画像Ｐ１Ａに１秒目の動画データ（図５に示すタイミングＴ１〜Ｔ２参照）に何らかの書き込み（所定の書き込み）がされた際、ユーザ端末２（図１参照）のＣＰＵ２０（図１参照）にて生成された図３に示す図示右に位置するコメント欄の画像Ｐ１Ｂａ及びその１秒目の動画データ（図５に示すタイミングＴ１〜Ｔ２参照）に何らかの書き込み（所定の書き込み）がされたことを示す秒数（図３では、００：０１：０００と表示）画像Ｐ１Ｃａが付加される。そして、上記画像Ｐ１Ａに４秒目の動画データ（図５に示すタイミングＴ３〜Ｔ４参照）に何らかの書き込み（所定の書き込み）がされた際、ユーザ端末２（図１参照）のＣＰＵ２０（図１参照）にて生成された図３に示す図示右に位置するコメント欄の画像Ｐ１Ｂｂ及びその４秒目の動画データ（図５に示すタイミングＴ３〜Ｔ４参照）に何らかの書き込み（所定の書き込み）がされたことを示す秒数（図示では、００：０４：０００と表示）画像Ｐ１Ｃｂ、並びに、画像Ｐ１Ｅが付加され、画面データ生成部１３にてユーザ端末２（図１参照）の表示部２４（図１参照）に表示されるＷｅｂブラウザーに表示させる画面データとして生成されることとなる。
【００４９】
ところで、図３に示す画像Ｐ１Ａに相当するサムネイル画像Ｐ１Ｄａ，ユーザ端末２（図１参照）のＣＰＵ２０（図１参照）にて抽出された４秒目の動画データ（タイミングＴ３〜Ｔ４参照））に対して、図示しない書き込みツールによって、何らかの書き込み（所定の書き込み）がされた際の画像に相当するサムネイル画像Ｐ１Ｄｂは、ユーザ端末２（図１参照）のＲＡＭ２３（図１参照）内に一時的に記憶されているプログラムに基づいて、ユーザ端末２（図１参照）のＣＰＵ２０（図１参照）にて生成されることとなる。すなわち、このサムネイル画像Ｐ１Ｄａ，Ｐ１Ｄｂは、図２に示す動画データレビュー内容データベース１２に格納されている図６に示すテーブルＴＢＬの書き込み対象時間（ＴＢ５参照）に基づいて、図２に示す動画データレビュー内容データベース１２に格納されている図６に示すテーブルＴＢＬのアップロード動画データ（ＴＢ１参照）よりユーザ端末２（図１参照）のＣＰＵ２０（図１参照）にて抽出された画像データに対し、動画データレビュー内容データベース１２に格納されているテーブルＴＢＬの書き込み座標データ（ＴＢ２参照）に基づいて描画された書き込み内容のレイヤーを重ね合わせて、ユーザ端末２（図１参照）のＣＰＵ２０（図１参照）にて生成されるものである。しかして、このように、サムネイル画像Ｐ１Ｄａ，Ｐ１Ｄｂを、動画データレビュー内容データベース１２に格納せず、表示させる度に生成するようにすれば、動画データレビュー内容データベース１２の容量を削減することが可能となる。
【００５０】
＜動画データレビューシステム使用例＞
ここで、上記説明した動画データレビューシステムの一使用例を図７のフローチャート図も参照して説明する。
【００５１】
まず、ユーザが図１に示すユーザ端末２を用いてネットワークＮを介して動画データレビューサーバ１に接続すると、図２に示す中央制御部１０は、ユーザ端末２（図１参照）の表示部２４（図１参照）に表示されるＷｅｂブラウザーにログイン画面を表示させる。これにより、ユーザは、ユーザ端末２の入力部２１（図１参照）を用いて動画データレビューサーバ１にログインする。そして、ユーザは、ユーザ端末２の入力部２１（図１参照）を用いて所定のプロジェクト（例えば、図６に示す、プロジェクトＡ（ＴＢ１参照））に参加する（ステップＳ１）。
【００５２】
次いで、ユーザは、ユーザ端末２（図１参照）の入力部２１（図１参照）を用いて所定の動画データをアップロードする（ステップＳ２）。
【００５３】
これを受けて、動画データレビューサーバ１の中央制御部１０（図２参照）は、アップロードされた所定の動画データをＷｅｂブラウザーにより表示可能な動画データに、画面データ生成部１５（図２参照）にて変換（例えば、ＭＰ４（フルＨＤ画質）からＭＰ４（ＳＤ画質）に変換）させ、その変換させた動画データを、図２に示す動画データレビュー内容データベース１４に格納されている図６に示すテーブルＴＢＬのプロジェクトの項目（ＴＢ１参照）に対応するアップロード動画データの項目（ＴＢ２参照）に記憶させる（ステップＳ３）。
【００５４】
次いで、動画データレビューサーバ１の中央制御部１０（図２参照）は、Ｗｅｂブラウザー用プログラム格納部１１（図２参照）に格納されているユーザ端末２（図１参照）の表示部２４（図１参照）に表示されるＷｅｂブラウザーにて使用可能なプログラムを読み出し、ネットワークＮを介して、ユーザ端末２（図１参照）に送信する（ステップＳ４）。これを受けて、ユーザ端末２（図１参照）のＣＰＵ２０（図１参照）は、このプログラムをダウンロードし、ＲＡＭ２３（図１参照）内に一時的に記憶することとなる。
【００５５】
次いで、上記所定の動画データをアップロードしたユーザ又は他のユーザが、アップロードされた所定の動画データに対して批評や評価或いは指示等のレビューをしようと、ユーザ端末２（図１参照）の入力部２１（図１参照）を用いて、Ｗｅｂブラウザー上で、図示しない書き込みツールによって、その所定の動画データの特定秒数に対して何らかの書き込みを指示、すなわち、書き込みを行おうとする（ステップＳ５）。これを受けて、ユーザ端末２（図１参照）のＣＰＵ２０（図１参照）は、ユーザ端末２（図１参照）のＲＡＭ２３（図１参照）内に一時的に記憶されているプログラムを起動し、このプログラムに基づいて、所定の動画データの特定秒数の画像データを抽出させる（ステップＳ６）。具体的には、図５（ａ）に示すように、所定の動画データが、例えば、全体として７秒で構成されている場合に、１秒目の動画データ（タイミングＴ１〜Ｔ２参照）に対し、Ｗｅｂブラウザー上で、何らかの書き込み（所定の書き込み）をしようとした際、ユーザ端末２（図１参照）のＣＰＵ２０（図１参照）は、この１秒目の動画データ（タイミングＴ１〜Ｔ２参照）を抽出する。そしてさらに、４秒目の動画データ（タイミングＴ３〜Ｔ４参照）に対し、Ｗｅｂブラウザー上で、何らかの書き込み（所定の書き込み）をしようとした際、ユーザ端末２（図１参照）のＣＰＵ２０（図１参照）は、この４秒目の動画データ（タイミングＴ３〜Ｔ４参照）を抽出するものである。なお、抽出された動画データの特定秒数は、動画データレビューサーバ１の中央制御部１０（図２参照）にて、図２に示す動画データレビュー内容データベース１４に格納されている図６に示すテーブルＴＢＬのアップロード動画データの項目（ＴＢ２参照）に対応する書き込み対象時間の項目（ＴＢ５参照）に記憶されることとなる。
【００５６】
次いで、ユーザ端末２（図１参照）のＣＰＵ２０（図１参照）は、上記プログラムに基づいて、書き込み用レイヤー（例えば、透明なレイヤー）を生成する（ステップＳ７）。
【００５７】
次いで、上記所定の動画データをアップロードしたユーザ又は他のユーザが、Ｗｅｂブラウザー上で、ユーザ端末２（図１参照）の入力部２１（図１参照）を用いて、図示しない書き込みツールにて、Ｗｅｂブラウザーに表示されている画像データ（例えは、図３に示すボールを蹴ろうとしている男性と、子供とで主に構成されている画像（画像Ｐ１Ａａ参照））に対して（例えば、子供の所に対して）、Ｗｅｂブラウザー上で、何らかの書き込み（例えば、図３に示す枠画像（画像Ｐ１Ａｂ参照））を行う（ステップＳ８）。これを受けて、動画データレビューサーバ１の中央制御部１０（図２参照）は、図２に示す動画データレビュー内容データベース１２に格納されている図６に示すテーブルＴＢＬのアップロード動画データの項目（ＴＢ２参照）に対応する書き込み座標データの項目（ＴＢ３参照）に書き込み内容の座標データを記憶させる（ステップＳ９）。
【００５８】
次いで、ユーザ端末２（図１参照）のＣＰＵ２０（図１参照）は、上記プログラムに基づいて、コメント欄（例えば、図３に示す図示右に位置するコメント欄（画像Ｐ１Ｂａ参照））を生成する（ステップＳ１０）。
【００５９】
次いで、ユーザ端末２（図１参照）のＣＰＵ２０（図１参照）は、上記プログラムに基づき、図２に示す動画データレビュー内容データベース１２に格納されている図６に示すテーブルＴＢＬの書き込み対象時間（ＴＢ５参照）に基づいて、図２に示す動画データレビュー内容データベース１２に格納されている図６に示すテーブルＴＢＬのアップロード動画データ（ＴＢ１参照）よりユーザ端末２（図１参照）のＣＰＵ２０（図１参照）にて抽出された画像データに対し、図２に示す動画データレビュー内容データベース１２に格納されている図６に示すテーブルＴＢＬの書き込み座標データ（ＴＢ２参照）に基づいて描画された書き込み内容のレイヤーを重ね合わせたサムネイル画像（例えば、サムネイル画像Ｐ１Ｄａ参照）を生成する（ステップＳ１１）。
【００６０】
かくして、上記ステップＳ１０及びステップＳ１１の処理により、ユーザ端末２（図１参照）の表示部２４（図１参照）に表示されるＷｅｂブラウザーに、図３に示すような画像Ｐ１Ｂａ及び画像Ｐ１Ｃａ並びにサムネイル画像Ｐ１Ｄａの画面が表示されることとなる。
【００６１】
しかして、このようにサムネイル画像とコメントを合せて表示するようにすれば、動画データのどの箇所に、どのような批評や評価或いは指示等のレビューがされたのかが一目で分かることとなる。
【００６２】
次いで、上記所定の動画データをアップロードしたユーザ又は他のユーザが、ユーザ端末２（図１参照）の入力部２１（図１参照）を用いて、コメントを作成（例えば、図３に示す「子供が写り込んでいます」（画像Ｐ１Ｂａ参照））する（ステップＳ１２）。これを受けて、動画データレビューサーバ１の中央制御部１０（図２参照）は、図２に示す動画データレビュー内容データベース１２に格納されている図６に示すテーブルＴＢＬのコメントの項目（ＴＢ４参照）に作成されたコメントを記憶させる（ステップＳ１３）。
【００６３】
かくして、新たに、アップロードした所定の動画データの特定秒数に対して、書き込みを行うにあたっては、上記ステップＳ５〜ステップＳ１３の内容を繰り返し実行することとなる。これにより、図３に示すような画像Ｐ１が生成されることとなる。
【００６４】
しかして、図３に示す画像Ｐ１のように、サムネイル画像を一覧表示するようにすれば、動画データのどの箇所にどのような書き込みがされたのか一目で分かることとなる。
【００６５】
次いで、ユーザが、ユーザ端末２（図１参照）の入力部２１（図１参照）を用いて、図３に示す画像Ｐ１Ｅの操作ツールによって、動画データを再生する（ステップＳ１４）。これを受けて、動画データレビューサーバ１の中央制御部１０（図２参照）は、図２に示す動画データレビュー内容データベース１２に格納されている図６に示すテーブルＴＢＬの書き込み対象時間の項目（ＴＢ５参照）から時間を読み出し、再生する動画データが、例えば、図５（ｂ）に示すように、全体として７秒で構成されている場合に、１秒目の動画データ（タイミングＴ１〜Ｔ２参照）に何らかの書き込み（所定の書き込み）がされている際、１秒目の動画データより一定時間前のタイミング（タイミングＴ１０参照）から、図２に示す動画データレビュー内容データベース１２に格納されている図６に示すテーブルＴＢＬの書き込み座標データ（ＴＢ２参照）に基づいて描画された書き込み内容のレイヤーを動画データに重ね合わせ、１秒目の動画データより一定時間後のタイミング（タイミングＴ２０参照）まで重ね合わせる処理を、画面データ生成部１３（図２参照）にて実行させる。そしてさらに、４秒目の動画データ（タイミングＴ３〜Ｔ４参照）に何らかの書き込み（所定の書き込み）がされている際、４秒目の動画データより一定時間前のタイミング（タイミングＴ３０参照）から、図２に示す動画データレビュー内容データベース１２に格納されている図６に示すテーブルＴＢＬの書き込み座標データ（ＴＢ２参照）に基づいて描画された書き込み内容のレイヤーを重ね合わせ、４秒目の動画データより一定時間後のタイミング（タイミングＴ４０参照）まで重ね合わせる処理を、画面データ生成部１３（図２参照）にて実行させる。
【００６６】
しかして、このようにすれば、動画データの再生に伴い、書き込み内容が一定時間、ユーザ端末２（図１参照）の表示部２４（図１参照）に表示されることとなるから、ユーザは書き込み内容をしっかりと確認できることとなる。
【００６７】
かくして、図７に示すような処理を行う事により、所定のプロジェクトに参加している様々なユーザがアップロードされた所定の動画データに対する書き込みやコメント等のレビューができることとなる。
【００６８】
しかして、本実施形態によれば、アップロードされた所定の動画データの特定秒数に対し、所定の動画データをアップロードしたユーザ又は他のユーザがユーザ端末２を用いて所定の書き込みを行う際、Ｗｅｂブラウザーにて使用可能なプログラムに基づいてユーザ端末２が書き込み用レイヤーを生成し、その書き込み用レイヤーをアップロードされた所定の動画データの特定秒数に重ね合わせて表示させる際、その特定秒数の前後一定秒数間、その書き込み用レイヤーをアップロードされた所定の動画データに重ね合わせて表示させている。このようにすれば、動画データの特定秒数に対して所定の書き込みが可能となり、さらに、書き込み内容が一定時間表示されることとなるから、ユーザは書き込み内容をしっかりと確認できることとなる。しかして、本実施形態によれば、複数のユーザが所定の動画データに対するレビューをすることができることとなる。
【００６９】
なお、本実施形態によれば、動画データの特定秒数に対し、ユーザ又は他のユーザがユーザ端末２を用いて所定の書き込みを行う際、その特定秒数の動画データをユーザ端末２（図１参照）のＣＰＵ２０（図１参照）にて抽出した上で、所定の書き込みを行うようにしたが、その特定秒数の動画データをユーザ端末２（図１参照）のＣＰＵ２０（図１参照）にて抽出せず、その特定秒数の動画データを一旦停止し、その停止した動画データ上にユーザ又は他のユーザがユーザ端末２を用いて所定の書き込みを行うようにしても良い。しかしながら、特定秒数の動画データを一旦停止すると、動画データの内容によっては停止した画像が不鮮明に表示される可能性があり、もって、ユーザ又は他のユーザがユーザ端末２を用いて所定の書き込みがし難い可能性がある。それゆえ、特定秒数の動画データをユーザ端末２（図１参照）のＣＰＵ２０（図１参照）にて抽出した上で、所定の書き込みを行うようにした方が、鮮明な画像で、ユーザ又は他のユーザがユーザ端末２を用いて書き込みを行うことができることとなるため、好ましい。
【００７０】
また、本実施形態においては、所定の動画データをアップロードした際、その動画データをＷｅｂブラウザーにより表示可能な動画データに変換する例を示したが、変換せずとも良い。しかしながら、ユーザ端末２のＷｅｂブラウザーに表示させる動画データに適した動画データに変換した方が、ユーザにストレスを感じさせることなく、ユーザ端末２のＷｅｂブラウザーに画面データを表示させることができるため、好ましい。
【００７１】
さらに、本実施形態においては、図３に示すような画像Ｐ１を生成させるにあたって、ユーザ毎に書き込まれた内容を表示（例えば、Ｘユーザが書き込んだ内容のみ表示、Ｙユーザが書き込んだ内容のみ表示）させるような画像を生成しても良く、全ての書き込み内容を表示させ、所定のプロジェクト（例えば、図６に示す、プロジェクトＡ（ＴＢ１参照））に参加しているユーザのアイコン画像を設けておき、そのアイコン画像を選択すると、その選択されたアイコン画像に該当するユーザの書き込み内容を表示させるようにしても良い。
【００７２】
そして、本実施形態において示した図３に示すサムネイル画像Ｐ１Ｄａ，Ｐ１Ｄｂを、ユーザ又は他のユーザがユーザ端末２を用いてクリック（選択）すると、そのサムネイル画像Ｐ１Ｄａ，Ｐ１Ｄｂに対応する特定秒数の動画データの箇所に移動できるようにしても良い。すなわち、サムネイル画像Ｐ１Ｄａが１秒目の動画データに関するものであれば、そのサムネイル画像Ｐ１Ｄａをユーザ又は他のユーザがユーザ端末２を用いてクリック（選択）すると、動画データが全体で７秒あるとした場合、その動画データの１秒目の動画データをユーザ端末２（図１参照）の表示部２４（図１参照）に表示させるようにしても良い。このようにすれば、書き込みがされた特定秒数の動画データを即座に表示させることができる。
【００７３】
ところで、本実施形態においては、ユーザ端末２（図１参照）のＲＡＭ２３（図１参照）内に一時的に記憶されているプログラムに基づいて、ユーザ端末２（図１参照）のＣＰＵ２０（図１参照）が動画データの抽出及び書き込み用レイヤー（例えば、透明なレイヤー）を生成、並びに、コメント欄を生成、さらに、サムネイル画像を生成する例を示したが、動画データレビューサーバ１にて動画データの抽出及び書き込み用レイヤー（例えば、透明なレイヤー）を生成、並びに、コメント欄を生成、さらに、サムネイル画像を生成させるようにしても良い。このようにしても、アップロードされた所定の動画データの特定秒数に対し、所定の動画データをアップロードしたユーザ又は他のユーザがユーザ端末２を用いて所定の書き込みを行う際、動画データレビューサーバ１が書き込み用レイヤーを生成し、その書き込み用レイヤーをアップロードされた所定の動画データの特定秒数に重ね合わせて表示させる際、その特定秒数の前後一定秒数間、その書き込み用レイヤーをアップロードされた所定の動画データに重ね合わせて表示させることができる。しかるに、このようにすれば、動画データの特定秒数に対して所定の書き込みが可能となり、さらに、書き込み内容が一定時間表示されることとなるから、ユーザは書き込み内容をしっかりと確認できることとなる。しかして、このようにしても、複数のユーザが所定の動画データに対するレビューをすることができることとなる。しかるに、ユーザ端末２（図１参照）のＲＡＭ２３（図１参照）内に一時的に記憶されているプログラムに基づいて、ユーザ端末２（図１参照）のＣＰＵ２０（図１参照）にて動画データの抽出及び書き込み用レイヤー（例えば、透明なレイヤー）を生成、並びに、コメント欄を生成、さらに、サムネイル画像を生成させても、動画データレビューサーバ１にて動画データの抽出及び書き込み用レイヤー（例えば、透明なレイヤー）を生成、並びに、コメント欄を生成、さらに、サムネイル画像を生成させても、同様の効果が生じることとなる。
【００７４】
なお、動画データレビューサーバ１にて、動画データの抽出及び書き込み用レイヤー（例えば、透明なレイヤー）を生成、並びに、コメント欄を生成、さらに、サムネイル画像を生成させるにあたっては、図７に示すステップＳ１〜ステップＳ１５に示す処理のうち、図７に示すステップＳ６の処理が動画データレビューサーバ１にて行われ、図７に示すステップＳ７の処理が動画データレビューサーバ１にて行われ、図７に示すステップＳ１０の処理が動画データレビューサーバ１にて行われ、図７に示すステップＳ１１の処理が動画データレビューサーバ１にて行われることとなる。また、動画データレビューサーバ１には、動画データを抽出する動画データ抽出部、書き込み用レイヤーを生成する書き込み用レイヤー生成部、コメント欄を生成するコメント欄生成部の構成が新たに追加され、Ｗｅｂブラウザー用プログラム格納部１１が不要となる。さらに、図７に示すステップＳ４の処理も不要となる。なお、サムネイル画像の生成は、図２に示す画面データ生成部１３にて行われることとなる。
【００７５】
一方、本実施形態においては、動画データレビューサーバ１を一台で構築する例を示したが、勿論、処理を分散させ複数台で構築しても良い。
【００７６】
また、本実施形態において説明した、動画データレビューシステム及び使用例並びに画面例はあくまで一例であり、これに限定されるものではない。
【符号の説明】
【００７７】
１      動画データレビューサーバ（サーバ）
２      ユーザ端末
１０    中央制御部
１１    Ｗｅｂブラウザー用プログラム格納部
１２    動画データレビュー内容データベース
１３    画面データ生成部
２０    ＣＰＵ
２１    入力部
２２    ＲＯＭ
２３    ＲＡＭ
２４    表示部
ＴＢＬ  テーブル
Ｎ      ネットワーク
Ｒ２    第２レイヤー（書き込み用レイヤー）
Ｒ３    第３レイヤー（書き込み用レイヤー）
【図１】
2019053572.tif 000003
【図２】
2019053572.tif 000004
【図３】
2019053572.tif 000005
【図４】
2019053572.tif 000006
【図５】
2019053572.tif 000007
【図６】
2019053572.tif 000008
【図７】
2019053572.tif 000009
【手続補正書】
【提出日】平成30年8月30日(2018.8.30)
【手続補正１】
【補正対象書類名】特許請求の範囲
【補正対象項目名】請求項１
【補正方法】変更
【補正の内容】
【請求項１】
複数のユーザ端末とサーバとがネットワークを介して接続されてなる動画データレビュー方法であって、
ユーザが前記ユーザ端末を用いて所定の動画データを前記サーバにアップロードするステップと、
前記ユーザ端末のＷｅｂブラウザーで使用可能なプログラムを前記サーバから前記ユーザ端末にダウンロードするステップと、
前記ユーザ端末のＷｅｂブラウザー上で、前記アップロードされた前記所定の動画データの特定秒数に対し、前記ユーザ又は他のユーザが前記ユーザ端末を用いて所定の書き込みを行う際、該ユーザ端末が前記プログラムに基づいて書き込み用レイヤーを生成するステップと、
前記生成された書き込み用レイヤーに対して前記ユーザ又は他のユーザが前記ユーザ端末を用いて所定の書き込みを行った際、前記サーバが、該所定の書き込み内容を座標データとして記憶するステップと、
前記サーバが前記書き込み用レイヤーを前記所定の動画データに重ね合わせて前記ユーザ端末に表示させるにあたり、該書き込み用レイヤーに前記記憶した座標データに基づいて前記所定の書き込み内容を描画した上で、前記ユーザ又は他のユーザが前記ユーザ端末を用いて所定の書き込みが行われた特定秒数の前後一定秒数間、該描画した書き込み用レイヤーを前記所定の動画データに重ね合わせて前記ユーザ端末に表示させるステップと、を含んでなる動画データレビュー方法。
【手続補正２】
【補正対象書類名】特許請求の範囲
【補正対象項目名】請求項６
【補正方法】変更
【補正の内容】
【請求項６】
複数のユーザ端末とサーバとがネットワークを介して接続されてなる動画データレビュー方法であって、
ユーザが前記ユーザ端末を用いて所定の動画データを前記サーバにアップロードするステップと、
前記アップロードされた前記所定の動画データの特定秒数に対し、前記ユーザ又は他のユーザが前記ユーザ端末を用いて所定の書き込みを行う際、前記サーバが書き込み用レイヤーを生成するステップと、
前記生成された書き込み用レイヤーに対して前記ユーザ又は他のユーザが前記ユーザ端末を用いて所定の書き込みを行った際、前記サーバが、該所定の書き込み内容を座標データとして記憶するステップと、
前記サーバが前記書き込み用レイヤーを前記所定の動画データに重ね合わせて前記ユーザ端末に表示させるにあたり、該書き込み用レイヤーに前記記憶した座標データに基づいて前記所定の書き込み内容を描画した上で、前記ユーザ又は他のユーザが前記ユーザ端末を用いて所定の書き込みが行われた特定秒数の前後一定秒数間、該描画した書き込み用レイヤーを前記所定の動画データに重ね合わせて前記ユーザ端末に表示させるステップと、を含んでなる動画データレビュー方法。
【手続補正３】
【補正対象書類名】明細書
【補正対象項目名】００１０
【補正方法】変更
【補正の内容】
【００１０】
請求項１に係る動画データレビュー方法は、複数のユーザ端末（２）とサーバ（動画データレビューサーバ１）とがネットワーク（Ｎ）を介して接続されてなる動画データレビュー方法であって、
ユーザが前記ユーザ端末（２）を用いて所定の動画データを前記サーバ（動画データレビューサーバ１）にアップロードするステップ（ステップＳ２）と、
前記ユーザ端末（２）のＷｅｂブラウザーで使用可能なプログラムを前記サーバ（動画データレビューサーバ１）から前記ユーザ端末（２）にダウンロードするステップ（ステップＳ４）と、
前記ユーザ端末（２）のＷｅｂブラウザー上で、前記アップロードされた前記所定の動画データの特定秒数に対し、前記ユーザ又は他のユーザが前記ユーザ端末（２）を用いて所定の書き込みを行う際、該ユーザ端末（２）が前記プログラムに基づいて書き込み用レイヤー（第２レイヤーＲ２、第３レイヤーＲ３）を生成するステップ（ステップＳ７）と、
前記生成された書き込み用レイヤー（第２レイヤーＲ２、第３レイヤーＲ３）に対して前記ユーザ又は他のユーザが前記ユーザ端末（２）を用いて所定の書き込みを行った際、前記サーバ（動画データレビューサーバ１）が、該所定の書き込み内容を座標データとして記憶するステップ（ステップＳ９）と、
前記サーバ（動画データレビューサーバ１）が前記書き込み用レイヤー（第２レイヤーＲ２、第３レイヤーＲ３）を前記所定の動画データに重ね合わせて前記ユーザ端末（２）に表示させるにあたり、該書き込み用レイヤー（第２レイヤーＲ２、第３レイヤーＲ３）に前記記憶した座標データに基づいて前記所定の書き込み内容を描画した上で、前記ユーザ又は他のユーザが前記ユーザ端末（２）を用いて所定の書き込みが行われた特定秒数の前後一定秒数間、該描画した書き込み用レイヤー（第２レイヤーＲ２、第３レイヤーＲ３）を前記所定の動画データに重ね合わせて前記ユーザ端末（２）に表示させるステップ（ステップＳ１５）と、を含んでなることを特徴としている。
【手続補正４】
【補正対象書類名】明細書
【補正対象項目名】００１５
【補正方法】変更
【補正の内容】
【００１５】
一方、請求項６に係る動画データレビュー方法は、複数のユーザ端末（２）とサーバ（動画データレビューサーバ１）とがネットワーク（Ｎ）を介して接続されてなる動画データレビュー方法であって、
ユーザが前記ユーザ端末（２）を用いて所定の動画データを前記サーバ（動画データレビューサーバ１）にアップロードするステップ（ステップＳ２）と、
前記アップロードされた前記所定の動画データの特定秒数に対し、前記ユーザ又は他のユーザが前記ユーザ端末（２）を用いて所定の書き込みを行う際、前記サーバ（動画データレビューサーバ１）が書き込み用レイヤー（第２レイヤーＲ２、第３レイヤーＲ３）を生成するステップ（ステップＳ７（ただし、動画データレビューサーバ１で処理した場合）と、
前記生成された書き込み用レイヤー（第２レイヤーＲ２、第３レイヤーＲ３）に対して前記ユーザ又は他のユーザが前記ユーザ端末（２）を用いて所定の書き込みを行った際、前記サーバ（動画データレビューサーバ１）が、該所定の書き込み内容を座標データとして記憶するステップ（ステップＳ９）と、
前記サーバ（動画データレビューサーバ１）が前記書き込み用レイヤー（第２レイヤーＲ２、第３レイヤーＲ３）を前記所定の動画データに重ね合わせて前記ユーザ端末（２）に表示させるにあたり、該書き込み用レイヤー（第２レイヤーＲ２、第３レイヤーＲ３）に前記記憶した座標データに基づいて前記所定の書き込み内容を描画した上で、前記ユーザ又は他のユーザが前記ユーザ端末（２）を用いて所定の書き込みが行われた特定秒数の前後一定秒数間、該描画した書き込み用レイヤーを前記所定の動画データに重ね合わせて前記ユーザ端末（２）に表示させるステップ（ステップＳ１５）と、を含んでなることを特徴としている。
【手続補正５】
【補正対象書類名】明細書
【補正対象項目名】００２１
【補正方法】変更
【補正の内容】
【００２１】
請求項１に係る発明によれば、ユーザがユーザ端末（２）を用いて所定の動画データをサーバ（動画データレビューサーバ１）にアップロードし、そのアップロードされた所定の動画データの特定秒数に対し、ユーザ又は他のユーザがユーザ端末（２）を用いて所定の書き込みを行う際、Ｗｅｂブラウザーにて使用可能なプログラムに基づいてユーザ端末（２）が書き込み用レイヤー（第２レイヤーＲ２、第３レイヤーＲ３）を生成し、その生成した書き込み用レイヤー（第２レイヤーＲ２、第３レイヤーＲ３）に対して、ユーザ又は他のユーザがユーザ端末（２）を用いて所定の書き込みを行った際、サーバ（動画データレビューサーバ１）が、該所定の書き込み内容を座標データとして記憶し、その生成した書き込み用レイヤー（第２レイヤーＲ２、第３レイヤーＲ３）を所定の動画データに重ね合わせてユーザ端末（２）に表示させるにあたり、書き込み用レイヤー（第２レイヤーＲ２、第３レイヤーＲ３）に、記憶した座標データに基づいて所定の書き込み内容を描画した上で、ユーザ又は他のユーザがユーザ端末（２）を用いて所定の書き込みが行われた特定秒数の前後一定秒数間、該描画した書き込み用レイヤー（第２レイヤーＲ２、第３レイヤーＲ３）を所定の動画データに重ね合わせてユーザ端末（２）に表示させている。このようにすれば、動画データの特定秒数に対して所定の書き込みが可能となり、さらに、書き込み内容が一定時間表示されることとなるから、ユーザは書き込み内容をしっかりと確認できることとなる。しかして、本発明によれば、複数のユーザが所定の動画データに対するレビューをすることができることとなる。
【手続補正６】
【補正対象書類名】明細書
【補正対象項目名】００２６
【補正方法】変更
【補正の内容】
【００２６】
一方、請求項６に係る発明によれば、ユーザがユーザ端末（２）を用いて所定の動画データをサーバ（動画データレビューサーバ１）にアップロードし、そのアップロードされた所定の動画データの特定秒数に対し、ユーザ又は他のユーザがユーザ端末（２）を用いて所定の書き込みを行う際、サーバ（動画データレビューサーバ１）が書き込み用レイヤー（第２レイヤーＲ２、第３レイヤーＲ３）を生成し、その生成された書き込み用レイヤー（第２レイヤーＲ２、第３レイヤーＲ３）に対して、ユーザ又は他のユーザがユーザ端末（２）を用いて所定の書き込みを行った際、サーバ（動画データレビューサーバ１）が、該所定の書き込み内容を座標データとして記憶し、その生成した書き込み用レイヤー（第２レイヤーＲ２、第３レイヤーＲ３）を所定の動画データに重ね合わせてユーザ端末（２）に表示させるにあたり、書き込み用レイヤー（第２レイヤーＲ２、第３レイヤーＲ３）に、前記記憶した座標データに基づいて前記所定の書き込み内容を描画した上で、ユーザ又は他のユーザがユーザ端末（２）を用いて所定の書き込みが行われた特定秒数の前後一定秒数間、該描画した書き込み用レイヤー（第２レイヤーＲ２、第３レイヤーＲ３）を所定の動画データに重ね合わせてユーザ端末（２）に表示させている。このようにすれば、動画データの特定秒数に対して所定の書き込みが可能となり、さらに、書き込み内容が一定時間表示されることとなるから、ユーザは書き込み内容をしっかりと確認できることとなる。しかして、本発明によれば、複数のユーザが所定の動画データに対するレビューをすることができることとなる。しかるに、請求項６に係る発明は、請求項１に係る発明と同様の作用効果を生じさせることができる。